(57)【要約】【課題】自動撮影時、本番の撮影中に意図しない動作を行う恐れをなくし、かつ自動撮影の設定負荷を簡素化した撮影システムを提供する。【解決手段】事前準備撮影時、音声・操作情報同期部８は、話者の音声と操作情報を、同期して音声・操作情報記憶部９に記憶する。本番の撮影時、音声同期操作情報識別部１１は、話者の音声に同期して、音声・操作情報記憶部９に記憶した操作情報を用いて自動撮影を行う。【選択図】  図５
2012098652.tif 000002
【特許請求の範囲】
【請求項１】
音声を入力し、単音、又は単語を基本単位とした、単位音声を認識する音声認識手段と、
撮影レンズとカメラを有し、映像を撮影する撮像手段と、
該撮像手段を保持し、方向・位置を変更する懸架台と、
該撮像手段の設定や、該懸架台の方向・位置といった操作情報を取得する操作情報取得手段と、
該単位音声と該操作情報を同期する音声・操作情報同期手段と、
該音声・操作情報同期手段で同期した情報を記憶する音声・操作情報記憶手段と、
該撮像手段の設定の変更や、該懸架台の方向・位置を制御する制御手段と、
該単位音声を保存する単位音声保存手段と、
該音声認識手段で認識した該単位音声と、該音声・操作情報記憶手段に記憶された該単位音声と該操作情報から、該制御手段を制御する音声同期操作情報識別手段
を有している事を特徴とする撮像システム。
【請求項２】
自動撮影記憶処理と、自動撮影処理の二つの処理を有し、
該自動撮影記憶処理の時、該音声・操作情報同期手段を用いて、該単位音声と該操作情報を該音声・操作情報記憶手段に記憶し、
該自動撮影処理の時、該音声同期操作情報識別手段を用いて、該音声識別手段で認識した該単位音声と、該音声・操作情報記憶手段に記憶した該単位音声が一致した時、該音声・操作情報記憶手段に記憶した該操作情報により該制御手段を制御する事を特徴とする請求項１に記載の撮影システム。
【請求項３】
該自動撮影処理の時、該単位音声が一致してから、該制御手段を制御するまでの待ち時間を、該自動撮影記憶処理の時に記憶する事を特徴とする請求項１又は２に記載の撮影システム。
【請求項４】
該単位音声と、該操作情報を、該単位音声が認識される毎に、該音声・操作情報記憶手段に記憶する事を特徴とする請求項１乃至３のいずれか１項に記載の撮影システム。
【請求項５】
該単位音声を１つ以上まとめたキーワードと、該操作情報を、該操作情報が変化する毎に、該キーワードと、該操作情報を同期して、該音声・操作情報記憶手段に記憶する事を特徴とする請求項１乃至３のいずれか１項に記載の撮影システム。
【請求項６】
該音声識別手段から得られた該単位音声と、該音声・操作情報記憶手段に記憶した単位音声が一致しなかった時、該単位音声保存手段に保存した１つ以上の単位音声と、
該音声・操作情報記憶手段に記憶した１つ以上の単位音声が一致する個所を検索し、記憶した操作情報により該制御手段を制御する事と特徴とする請求項１乃至５のいずれか１項に記載の撮影システム。
【請求項７】
該音声・操作情報記憶手段に既に記憶した該キーワードと、
これから記憶を行う該キーワードが一致した時、既に記憶した該キーワードと、
を有し、これから記憶を行う該キーワードを、該単位音声保存手段に保存した該単位音声を用いて変更する事を特徴とする請求項５に記載の撮影システム。
【請求項８】
オートフォーカス有効範囲の位置・大きさ変更する手段と、
オートフォーカス有効／無効を切換える手段を有し、
オートフォーカス有効範囲の位置・大きさと、有効／無効の情報を、該音声・操作情報記憶手段に記憶する該操作情報とする事を特徴とする請求項１乃至７のいずれか１項に記載の撮影システム。
【請求項９】
該音声・操作情報記憶手段に記憶した情報を、修正可能な事を特徴とする請求項１乃至８のいずれか１項に記載の撮影システム。
【請求項１０】
１つ以上の該撮像装置と、
該撮像装置の映像を選択する映像切換え手段と、
該撮像装置の映像切換えを操作する映像切換え操作手段を有し、
該音声識別手段で得られた該単位音声と、該映像切換え操作手段で選択した情報を同期して、該音声・操作情報記憶手段に記憶し、
該音声識別手段から得られた該単位音声と、該音声・操作情報記憶手段に記憶した該単位音声が一致した時、
記憶した該映像切換え操作手段で選択した情報により該映像切換え手段を制御する事を特徴とする請求項１乃至９のいずれか１項に記載の撮影システム。
【発明の詳細な説明】
【技術分野】
【０００１】
本発明は、自動撮影機能を有する撮影システムに関する。
【背景技術】
【０００２】
従来、放送局の番組撮影において、自動撮影を行うシステムが提案されている。
特許文献１には、話者の認識情報、話者の発するキーワード、時間経過情報を取得し、予め規定した遷移確率情報や割当確率情報に基づいて自動撮影を実施する技術が開示されている。
【先行技術文献】
【特許文献】
【０００３】
【特許文献１】特開２００５−２９５４３１号公報
【発明の概要】
【発明が解決しようとする課題】
【０００４】
従来、遷移確率情報や割当確率情報を予め規定する必要があり、完成度の高い自動撮影を実施するには、前準備の負荷が多いという課題があった。また、予め規定した情報に不都合がある場合や、話者の違いによる発声の誤認識があった場合、本番の撮影中に意図しない動作を行う可能性もあった。
【０００５】
本発明は、本番の撮影中に意図しない動作を行う恐れをなくし、かつ自動撮影の設定負荷を簡素化した撮影システムを提供することを目的とする。
【課題を解決するための手段】
【０００６】
上記目的を達成するために、本発明の撮影システムは、音声を入力し、単音、又は単語を基本単位とした、単位音声を認識する音声認識手段と、撮影レンズとカメラを有し、映像を撮影する撮像手段と、該撮像手段を保持し、方向・位置を変更する懸架台と、該撮像手段の設定や、該懸架台の方向・位置といった操作情報を取得する操作情報取得手段と、該単位音声と該操作情報を同期する音声・操作情報同期手段と、該音声・操作情報同期手段で同期した情報を記憶する音声・操作情報記憶手段と、該撮像手段の設定の変更や、該懸架台の方向・位置を制御する制御手段と、該単位音声を保存する単位音声保存手段と、該音声認識手段で認識した該単位音声と、該音声・操作情報記憶手段に記憶された該単位音声と該操作情報から、該制御手段を制御する音声同期操作情報識別手段を有している事を特徴とする。
【０００７】
本発明の更なる目的又はその他の特徴は、以下、添付の図面を参照して説明される好ましい実施形態等によって明らかにされるであろう。
【発明の効果】
【０００８】
本発明によれば、事前準備撮影時に話者の音声と操作情報を同期して記憶し、本番の撮影時に話者の音声に同期して、記憶した操作情報を用いて自動撮影を行う。それにより、本番の撮影中に意図しない動作を行う恐れをなくし、かつ自動撮影の設定負荷を簡素化する効果が得られる。
【図面の簡単な説明】
【０００９】
【図１】実施形態１で用いる記憶処理を行うブロック図
【図２】実施形態１で用いるＡＦ有効枠の構成を示す図
【図３】実施形態１で用いる記憶処理を行うフローチャート
【図４】実施形態１で用いる音声・操作情報記憶部に記憶される情報の一例
【図５】実施形態１、２で用いる自動撮影処理を行うブロック図
【図６】実施形態１で用いる自動撮影処理を行うフローチャート
【図７】実施形態２で用いる記憶処理を行うブロック図
【図８】実施形態２で用いる音声・操作情報記憶部に記憶される情報の一例
【図９】実施形態２で用いる記憶処理を行うフローチャート
【図１０】実施形態２で用いる自動撮影処理を行うフローチャート
【図１１】実施形態３で用いる記憶処理を行うブロック図
【図１２】実施形態３で用いる記憶処理を行うフローチャート
【図１３】実施形態３で用いる自動映像切換え処理を行うブロック図
【図１４】実施形態３で用いる自動映像切換え処理を行うフローチャート
【発明を実施するための形態】
【００１０】
以下に、本発明の実施の形態を添付の図面に基づいて詳細に説明する。
【００１１】
《第１の実施形態》
図１には、本発明の実施形態１である撮影システムの、記憶処理を行うブロック図を示す。図１において、１は被写体、２はマイク、６は音声認識部である。被写体１が話す音声は、マイク２を介して、音声認識部６に入力される。音声認識部６では、入力された音声から、単音、又は単語を基本単位とした、単位音声の認識を行う。
【００１２】
５は操作者、３はレンズやカメラを含む撮像装置、４は撮像装置３のパン・チルト角度の変更や位置の移動が可能な懸架台、７は操作情報取得部である。操作者５は懸架台４を操作して撮像装置３の向きや位置を変更すると共に、撮像装置３を操作してレンズ位置やオートフォーカス有効／無効等の各種設定を変更する。操作情報取得部７には、懸架台４のパン・チルト角度や位置の情報と、撮像装置３の各種設定が、操作情報として入力される。
【００１３】
８は音声・操作情報同期部、９は音声・操作情報記憶部である。音声認識部６、操作情報取得部７、音声・操作情報記憶部９は、音声・操作情報同期部８に接続されている。音声認識部６で認識した単位音声や、操作情報取得部で取得した操作情報は、音声・操作情報同期部８で取得し、処理を行った後、音声・操作情報記憶部９に記憶される。
【００１４】
図２には、撮像装置３の各種設定の１つであるＡＦ有効枠について示す。２１は撮像装置３で撮影された撮影映像、２０は枠の内部の映像のみをオートフォーカスの対象とするＡＦ有効枠である。ＡＦ有効枠２０は、撮像映像２１の範囲で各種位置への配置や、大きさの変更を行う事が可能であり、操作者５が任意に設定可能である。また、不図示のＡＦ ＯＮ／ＯＦＦスイッチにより、撮像装置３のオートフォーカスの有効／無効を、操作者５は設定可能である。
【００１５】
図３のフローチャートには、音声・操作情報同期部８で行われる記憶処理の動作、図４には、この記憶処理により、音声・操作情報記憶部９に記憶される情報の一例が示してある。この動作は、音声・操作情報同期部８に格納されたコンピュータプログラムに従って行われる。ステップＳ１００にて音声・操作情報同期部８の記憶処理が開始される。この時点の音声・操作情報記憶部９に記憶される時間情報はt0である。
ステップＳ１０１では、撮像装置３や、懸架台４の操作情報を取得し、ステップＳ１０２に進む。
【００１６】
ステップＳ１０２では、取得した操作情報を、時間情報に付随した情報として音声・操作情報記憶部９に記憶し、ステップＳ１０３に進む。例えば、操作情報としてパン角度αgetを取得した時、時間情報t0に付随する情報として、パン角度αt0＝αgetとして音声・操作情報記憶部９に記憶する。また、待ち時間Δや、パン速度β等、取得する操作情報以外の情報は、初期値０が記憶される。ステップＳ１０３では、撮像装置３や、懸架台４の操作情報を取得し、ステップＳ１０４に進む。
【００１７】
ステップＳ１０４では、取得した操作情報が変化したか否かを判断し、変化した場合はステップＳ１０５に進み、それ以外の場合はステップＳ１０６に進む。ステップＳ１０５では、音声・操作情報記憶部９に記憶されている時間情報に付随した操作情報を、取得した操作情報に更新し、ステップＳ１０６に進む。
【００１８】
また例えば、図４においては、ステップＳ１０２で記憶した時点から、経過時間を待ち時間Δ、パン角度の変化速度をパン速度β等として記憶する。但し、待ち時間Δの更新は最初の１回のみで、同一の時間情報の時は以後行わなくても良い。また、時間情報t0の時は初期情報とし、待ち時間Δやパン速度β等の更新は行わなくても良い。
ステップＳ１０６では、音声認識部６で単位音声の認識されたか否かの確認を行い、認識された場合はステップＳ１０７に進み、それ以外の場合はステップＳ１０３に進む。
【００１９】
ステップＳ１０７では時間情報を更新し、ステップＳ１０８に進む。例えば時間情報がt0の場合はt1となる。ステップＳ１０８では、認識した単位音声を、時間情報に付随した単位音声として音声・操作情報記憶部９に記憶し、ステップＳ１０１に進む。この手順により、単位音声と、単位音声を認識してから操作が開始されるまでの待ち時間、パン角度、ＡＦ有効枠の情報等を含む操作情報とを、時間情報に付随した情報として同期して記憶する、自動撮影記憶処理を実行する事が可能である。
【００２０】
なお、ここで音声・操作情報記憶部９に記憶した図４に示すような情報は、本記憶処理とは別の処理で修正可能なものとする。また、記憶した単位音声と、別途用意される撮影台本とを同期し、音声識別時の誤認識の修正を行えるものとする。
この手順により、自動撮影記録処理により記憶が行えなかった時や、台本と異なる情報が記憶された時に、修正する事が可能である。
【００２１】
図５には、本発明の実施形態１である撮影システムの、自動撮影処理を行うブロック図を示す。図５において、１０は制御部、１１は音声同期操作情報識別部、１２は単位音声保存部である。音声識別部６で認識した単位音声を、音声同期操作情報識別部１１は取得し、単位音声保存部１２に保存する。また、音声同期操作情報識別部１１は音声・操作情報記憶部９に記憶されている情報を利用し、制御部１０を介して懸架台４や撮像装置３を制御する。
【００２２】
図６のフローチャートには、音声同期操作情報識別部１１で行われる自動撮影処理の動作が示してある。この動作は、音声同期操作情報識別部１１に格納されたコンピュータプログラムに従って行われる。ステップＳ１１０にて音声同期操作情報識別部１１の自動撮影処理が開始される。この時点の音声・操作情報記憶部９から利用する図４に示す時間情報はt0である。ステップＳ１１１では、時間情報に付随する操作情報を用いて制御部１０を介して懸架台４や撮像装置３を制御し、ステップＳ１１２に進む。例えば図４に示す操作情報では、待ち時間Δを待った後、パン角度αまでパン速度βで懸架台のパン動作を制御する。
【００２３】
ステップＳ１１２では、時間情報を更新し、ステップＳ１１３に進む。例えば時間情報がt0の場合はt1となる。ステップＳ１１３では、音声認識部６で単位音声の認識されたか否かの確認を行い、認識された場合はステップＳ１１４に進み、それ以外の場合はステップＳ１１３に進む。ステップＳ１１４では、認識した単位音声を、単位音声保存部１２に時系列にして保存し、ステップＳ１１５に進む。ステップＳ１１５では、時間情報に付随する単位音声を、音声・操作情報記憶部９から取得し、ステップＳ１１６に進む。
【００２４】
ステップＳ１１６では、認識した単位音声と、音声・操作情報記憶部９から取得した記憶済みの単位音声を比較する。これらが一致したならばステップＳ１１１に進み、それ以外の場合はステップＳ１１７に進む。ステップＳ１１７では、音声・操作情報記憶部９から、現在の時間情報より進んだ時の複数の記憶している単位音声を取得し、ステップＳ１１８に進む。例えば、図４において、時間情報t2で取得数3の時、時間情報t3〜t4の単位音声「う」「あ」「い」を取得する。
【００２５】
ステップＳ１１８では、単位音声保存部１２に時系列に保存した認識した単位音声を、最新のものから、ステップＳ１１７で取得した取得数だけ取得する。その認識した複数の単位音声と、音声・操作情報記憶部９から取得した複数の記憶済みの単位音声を比較し、一致したならばステップＳ１１９に進み、それ以外の場合はステップＳ１２０に進む。
【００２６】
ステップＳ１１９では、ステップＳ１１８利用した時間情報の最後の値に、時間情報を変更し、ステップＳ１１１に進む。例えば、図４において、時間情報t3〜t4の単位音声「う」「あ」「い」を利用した場合、時間情報をt4に変更する。ステップＳ１２０では、時間情報を更新し、ステップＳ１１７に進む。例えば時間情報がt2の場合はt3となる。ステップＳ１２０では、時間情報のみを変更したが、同時にステップＳ１１７で取得する取得数を変更しても良い。また、その場合はステップＳ１１９で取得数を初期値に戻す処理が追加される。
【００２７】
この手順により、単位音声を認識してから、記憶した待ち時間が経過した後、同期して記憶したパン角度への懸架台の移動や、ＡＦ有効枠の変更等の、自動撮影処理を実行する事が可能である。また、自動撮影処理の時間情報が、実際の撮影の進行と異なった時、保存した単位音声を用いて、時間情報を自動的に補正する事が可能である。
【００２８】
また、本実施形態では音声・操作情報記憶部９に記憶される情報として、図４に示すような１つの時間情報を用いた構成としたが、ズームレンズ、フォーカスレンズ等の操作状態を別々の時間情報を用いて構成し、記憶してもよい。
【００２９】
本実施形態によれば、事前準備撮影時に話者の音声と操作情報を同期して記憶し、本番の撮影時に話者の音声に同期して、記憶した操作情報を用いて自動撮影を行う。それにより、本番の撮影中に意図しない動作を行う恐れをなくし、かつ自動撮影の設定負荷を簡素化する効果が得られる。
【００３０】
《第２の実施形態》
図７には、本発明の実施形態２である撮影システムの、記憶処理を行うブロック図を示す。本実施形態のブロック図の基本的な構成は、実施形態１の記憶処理を行うブロック図に対し、単位音声保存部１２が追加されている。図７において、音声識別部６で認識した単位音声を、音声・操作情報同期部８は取得し、単位音声保存部１２に保存する。
【００３１】
図９のフローチャートには、音声・操作情報同期部８で行われる記憶処理の動作、図８には、この記憶処理により、音声・操作情報記憶部９に記憶される情報の一例が示してある。この動作は、音声・操作情報同期部８に格納されたコンピュータプログラムに従って行われる。ステップＳ２００にて音声・操作情報同期部８の記憶処理が開始される。この時点の音声・操作情報記憶部９に記憶される時間情報はt0である。
ステップＳ２０１では、撮像装置３や、懸架台４の操作情報を取得し、ステップＳ２０２に進む。
【００３２】
ステップＳ２０２では、取得した操作情報を、時間情報に付随した情報として音声・操作情報記憶部９に記憶した後、ステップＳ２０３に進む。ステップＳ２０３では時間情報を更新し、ステップＳ２０４に進む。例えば時間情報がt0の場合はt1となる。
ステップＳ２０４では、音声認識部６で単位音声の認識されたか否かの確認を行い、認識された場合はステップＳ２０５に進み、それ以外の場合はステップＳ２０６に進む。ステップＳ２０５では、認識した単位音声を、単位音声保存部１２に時系列にして保存し、ステップＳ２０６に進む。
【００３３】
ステップＳ２０６では、撮像装置３や、懸架台４の操作情報を取得し、ステップＳ２０７に進む。ステップＳ２０７では、取得した操作情報が変化したか否かを判断し、変化した場合はステップＳ２０８に進み、それ以外の場合はステップＳ２０４に進む。
ステップＳ２０８では、単位音声保存部１２に時系列に保存した認識した単位音声から、最新のものをキーワードに設定し、ステップＳ２０９に進む。
【００３４】
ステップＳ２０９では、設定したキーワードと、音声・操作情報記憶部９にしたキーワードを比較し、一致するものがない場合はステップＳ２１０に進み、それ以外の場合はステップＳ２１１に進む。ステップＳ２１０では、設定したキーワードと取得した操作情報を、時間情報に付随したキーワードと操作情報して、音声・操作情報記憶部９に記憶し、ステップＳ２０３に進む。また例えば、図８においては、ステップＳ２０５で最後に保存した時点から、経過時間を待ち時間Δ、パン角度の変化速度をパン速度β等として記憶する。
【００３５】
ステップＳ２１１では、以下のようにキーワードを再設定し、ステップＳ２０９に進む。例えば、現在設定中のキーワードK(t)が、単位音声保存部１２に時系列に保存した認識した単位音声の、最新のものW(t)を含めて単位音声数[a+1]個前の物までであったとする。その時のキーワードK(t)は、W(t),W(t-1), ,W(t-a)となる。
【００３６】
一方、既に設定したキーワードをK(T)とし、K(T)=W(T),W(T-1), ,W(T-a)とする。
ステップＳ２１１の処理は、K(t)=K(T)の時、実行される。この時、単位音声数を１つ増やし[a+2]として、現在設定中のキーワードK(t)と、既に設定したキーワードK(T)を再設定する。この手順により、キーワードと、キーワードを認識してから操作が開始されるまでの待ち時間、パン角度、ＡＦ有効枠の情報等を含む操作情報とを、時間情報に付随した情報として同期して記憶する、自動撮影記憶処理を実行する事が可能である。
【００３７】
また、設定するキーワードが全ての時間情報に対して唯一１つとなるように、自動的に変更して記憶する事が可能である。なお、ここで音声・操作情報記憶部９に記憶した図８に示すような情報は、本記憶処理とは別の処理で修正可能なものとする。また、記憶したキーワードと、別途用意される撮影台本とを同期し、音声識別時の誤認識の修正を行えるものとする。この手順により、自動撮影記録処理により記憶が行えなかった時や、台本と異なる情報が記憶された時に、修正する事が可能である。
【００３８】
本実施形態で自動撮影処理を行うブロック図の構成は、実施形態１のブロック図(図５)と同じである。図１０のフローチャートには、音声同期操作情報識別部１１で行われる自動撮影処理の動作が示してある。この動作は、音声同期操作情報識別部１１に格納されたコンピュータプログラムに従って行われる。ステップＳ２２０にて音声同期操作情報識別部１１の自動撮影処理が開始される。この時点の音声・操作情報記憶部９から利用する図４に示す時間情報はt0である。ステップＳ２２１では、時間情報に付随する操作情報を用いて制御部１０を介して懸架台４や撮像装置３を制御し、ステップＳ２２２に進む。
【００３９】
例えば図８に示す操作情報では、待ち時間Δを待った後、パン角度αまでパン速度βで懸架台のパン動作を制御する。ステップＳ２２２では、時間情報を更新する。
ここで例えば時間情報がt0の場合はt1となる。その後、ステップＳ２２３に進む。
ステップＳ２２３では、音声・操作情報記憶部９から時間情報に付随する記憶キーワードを取得し、ステップＳ２２４に進む。
【００４０】
ステップＳ２２４では、音声認識部６から取得した単位音声からキーワードを作成するための、認識キーワードを初期化し、ステップＳ２２５に進む。
ステップＳ２２５では、音声認識部６で単位音声の認識されたか否かの確認を行い、認識された場合はステップＳ２２６に進み、それ以外の場合はステップＳ２２５に進む。ステップＳ２２６では、音声認識部６から取得した単位音声から認識キーワードを作成し、ステップＳ２２７に進む。
【００４１】
例えば、ステップＳ２２６を処理した回数が[a+1]回の場合、ステップＳ２２５で認識した単位音声をW(t)とした場合、認識キーワードK(t)は、W(t),W(t-1), ,W(t-a)となる。ステップＳ２２７では、認識キーワードと記憶キーワードを比較し、一致したならばステップＳ２２１に進み、それ以外の場合はステップＳ２２５に進む。
この手順により、キーワードを認識してから、記憶した待ち時間が経過した後、同期して記憶したパン角度への懸架台の移動や、ＡＦ有効枠の変更等の、自動撮影処理を実行する事が可能である。
【００４２】
本実施形態によれば、事前準備撮影時に話者の音声と操作情報を同期して記憶し、本番の撮影時に話者の音声に同期して、記憶した操作情報を用いて自動撮影を行う。それにより、本番の撮影中に意図しない動作を行う恐れをなくし、かつ自動撮影の設定負荷を簡素化する効果が得られる。
【００４３】
《第３の実施形態》
図１１には、本発明の実施形態３である撮影システムの、記憶処理を行うブロック図を示す。図１１において、３１〜３３はレンズやカメラを含む撮像装置、３４は映像切換え操作部、３５は映像切換え部、３６はテレビ映像である。撮像装置３１〜３３で撮影された映像は、映像切換え部３５に入力される。映像切換え部３５は、映像切換え操作部３４で選択された映像をテレビ映像３６に出力する。音声・操作情報同期部８は、映像切換え操作部に入力された映像切換え情報を取得する。
【００４４】
図１２のフローチャートには、図１１の構成に示す音声・操作情報同期部８で行われる記憶処理の動作が示してある。この動作は、音声・操作情報同期部８に格納されたコンピュータプログラムに従って行われる。ステップＳ３００にて音声・操作情報同期部８の記憶処理が開始される。ステップＳ３０１では、映像切換え情報を取得し、ステップＳ３０２に進む。ステップＳ３０２では、映像切換え情報を、時間情報に付随した情報として音声・操作情報記憶部９に記憶し、ステップＳ３０３に進む。ステップＳ３０３では、映像切換え情報を取得し、ステップＳ３０４に進む。
【００４５】
ステップＳ３０４では、取得した映像切換え情報が変化したか否かを判断し、変化した場合はステップＳ３０５に進み、それ以外の場合はステップＳ３０６に進む。
ステップＳ３０５では、音声・操作情報記憶部９に記憶されている時間情報に付随した映像切換え情報を、取得した映像切換え情報に更新し、ステップＳ３０６に進む。なお、ステップＳ１０２で記憶した時点からの経過時間を待ち時間として、映像切換え情報として音声・操作情報記憶部９に記憶しても良い。
ステップＳ３０６〜Ｓ３０８の動作は、図３に示すステップＳ１０６〜Ｓ１０８の動作と同様である。
【００４６】
この手順により、単位音声と、単位音声を認識してから操作が開始されるまでの待ち時間を含む映像切換え情報とを、時間情報に付随した情報として同期して記憶する、自動撮影記憶処理を実行する事が可能である。
【００４７】
図１３には、本発明の実施形態３である撮影システムの、自動映像切換え処理を行うブロック図を示す。図１３において、音声同期操作情報識別部１１は、映像切換え部３５を制御して、撮像装置３１〜３３で撮影された映像の選択を行う。
図１４のフローチャートには、音声同期操作情報識別部１１で行われる自動撮影処理の動作が示してある。この動作は、音声同期操作情報識別部１１に格納されたコンピュータプログラムに従って行われる。
【００４８】
ステップＳ３１０にて音声同期操作情報識別部１１の自動映像切換え処理が開始される。ステップＳ３１１では、時間情報に付随する映像切換え情報を用いて、映像切換え部３５を制御し、テレビ映像３６の選択を行う。なお本処理では、映像切換え情報に記憶した待ち時間経過後、映像切換え部３５を制御する映像の切換えを行っても良い。ステップＳ３１２〜Ｓ３２０の動作は、図６に示すステップＳ１１２〜Ｓ１２０の動作と同様である。
【００４９】
この手順により、単位音声を認識してから、記憶した待ち時間が経過した後、同期して記憶した映像切換え情報に従い映像の切換えを行う、自動撮影処理を実行する事が可能である。本実施形態によれば、事前準備撮影時に話者の音声と操作情報を同期して記憶し、本番の撮影時に話者の音声に同期して、記憶した操作情報を用いて自動撮影を行う。それにより、本番の撮影中に意図しない動作を行う恐れをなくし、かつ自動撮影の設定負荷を簡素化する効果が得られる。
【００５０】
以上、本発明の好ましい実施形態について説明したが、本発明はこれらの実施形態に限定されないことはいうまでもなく、その要旨の範囲内で種々の変形及び変更が可能である。
【符号の説明】
【００５１】
２    マイク
３    撮像装置
４    懸架台
６    音声認識部
７    操作情報取得部
８    音声・操作情報同期部
９    音声・操作情報記憶部
１０  制御部
１１  音声同期操作情報識別部
１２  単位音声保存部
２０  ＡＦ有効枠
３１〜３３  撮像装置
３４  映像切換え操作部
３５  映像切換え部
【図１】
2012098652.tif 000003
【図２】
2012098652.tif 000004
【図３】
2012098652.tif 000005
【図４】
2012098652.tif 000006
【図５】
2012098652.tif 000007
【図６】
2012098652.tif 000008
【図７】
2012098652.tif 000009
【図８】
2012098652.tif 000010
【図９】
2012098652.tif 000011
【図１０】
2012098652.tif 000012
【図１１】
2012098652.tif 000013
【図１２】
2012098652.tif 000014
【図１３】
2012098652.tif 000015
【図１４】
2012098652.tif 000016